(57)【要約】【課題】美観を維持しつつ、胴回りに沿って股上を適度に密着させることのできるズボンを提供する。【解決手段】サイドシーム（３）に沿って与えられ股下高さ位置から胴回り（１０）に向けて拡がるＶ字切り込み（４）と、Ｖ字切り込み（４）を閉塞するように同Ｖ字切り込みの縁部（１２）に沿って縫いつけられた伸縮素材からなる伸縮布（６）とを含む。Ｖ字切り込み（４）内において、伸縮布（６）には胴回りから前記Ｖ字切り込みの頂点（１１）の方向へ向けて伸びる縫い目（５）を少なくとも２本以上並べて与えられている。【選択図】  図２
2010270404.tif 000002
【特許請求の範囲】
【請求項１】
ズボンであって、
サイドシームに沿って与えられ股下高さ位置から胴回りに向けて拡がるＶ字切り込みと、
前記Ｖ字切り込みの少なくとも一部を閉塞するように前記Ｖ字切り込みの縁部に沿って縫いつけられた伸縮素材からなる伸縮布と、を含み、
前記Ｖ字切り込み内において前記伸縮布には前記胴回りから前記Ｖ字切り込みの頂点方向へ向けて
伸びる縫い目を少なくとも２本以上並べて与えられていることを特徴とするズボン。
【請求項２】
股上を短くして腰骨の上方を裸出させて着用されることを特徴とする請求項１記載のズボン。
【請求項３】
前記伸縮布は、前記Ｖ字切り込みの裏面より与えられること特徴とする請求項１又は２に記載のズボン。
【請求項４】
前記伸縮布は、サイドシームと垂直な方向にのみ伸縮することを特徴とする請求項３記載のズボン。
【請求項５】
前記伸縮布は縦襞を有する装飾布によってその表面を覆われ、前記装飾布は前記各縫い目に沿って、その縦襞の谷部を前記伸縮布に縫い付けられることを特徴とする請求項１乃至４のうちの１つに記載のズボン。
【請求項６】
前記伸縮布には、少なくとも１つ以上の谷部の閉じられた袋状の縦襞を設けたことを特徴とする請求項１乃至４のうちの１つに記載のズボン。
【発明の詳細な説明】
【技術分野】
【０００１】
本発明は、ズボンに関し、特に、股上を短くして腰骨の上方を裸出させて着用されるズボンに関する。
【背景技術】
【０００２】
股上を短くして腰骨の上方を裸出させて着用されるズボンは、着用者の腹部に開放感を与えるとともに、ウエストから上半身をスマートに見せることができるため、とりわけ身体のシルエットをより美しく見せたい女性に人気がある（特許文献１参照）。
【０００３】
また、このようなズボンは、股下部分に対する股上部分の割合が小さいため、股下部分、即ち脚部を長く見せることができ、このため、脚を長く見せたい利用者に人気がある。
【０００４】
ところで、この股上を短くして腰骨の上方を裸出させて着用される、いわゆるローライズのズボンでは、前に屈むと着用者の意に反して腰部周囲背面側の股上部分が浮き上がってしまいやすいという不具合がある。
【０００５】
かかる不具合を避けるため、同ズボンの上端すなわち胴回りにベルト挿通穴を設け、同挿通穴に通したベルトで胴回りを締め付けることによって、着用者の腰部周囲に沿ってズボンをより密着させ、着用者の意に反した腰部周囲背面側の股上部分の浮き上がりを防止することが試みられている。
【先行技術文献】
【特許文献】
【０００６】
【特許文献１】米国特許６８５９９４４Ｂ２号公報
【発明の概要】
【発明が解決しようとする課題】
【０００７】
しかし、ベルトで胴回りを締めると、ズボン着用者は窮屈な思いをするが、特に、いわゆるローライズのズボンにおいてはズボン着用者の腰骨を締め付けることになり、この状態でズボン着用者がかがむなどの動作を起こすと腰骨に過大な圧迫を与え、ズボン着用者は窮屈な思いをする。また、ベルト挿通穴及びベルトの存在は、胴回りをすっきり見せたいというズボン着用者の意に反し、同ズボンの美観を大きく損うこととなる。
【０００８】
本発明は、上記問題に鑑みてなされたものであって、その目的はズボンにおいて、特に、股上の短い、いわゆるローライズ型のズボンにおいて、美観を維持しつつ、ベルトレスであっても着用者の腰部周囲に沿って股上を適度に密着させることのできるズボンを提供することを目的とする。
【課題を解決するための手段】
【０００９】
本発明は、ズボンであって、サイドシームに沿って与えられ股下高さ位置から胴回りに向けて拡がるＶ字切り込みと、前記Ｖ字切り込みの少なくとも一部を閉塞するように前記Ｖ字切り込みの縁部に沿って縫いつけられた伸縮素材からなる伸縮布と、を含み、前記Ｖ字切り込み内において前記伸縮布には前記胴回りから前記Ｖ字切り込みの頂点方向へ向けて伸びる縫い目を少なくとも２本以上並べて与えられていることを特徴とする。
【００１０】
かかる発明によれば、ベルトレスであっても股上を着用者の腰部周囲に適度に密着させることができる。詳細には、着用者の身体周りに沿って大きな伸びを要する胴回り近傍と比べ、大きな伸びの不要なＶ字切り込みの頂点近傍における伸び量を小さくでき、着用者の腰部周囲、とりわけ背面側に対してズボン股上生地を適度に密着させ得る。これと共に、Ｖ字切り込みの頂点近傍における生地のだぶつきをも防止でき、ズボンの美観を維持できるのである。
【００１１】
その一方で、股下高さ位置から胴回りに向けて拡がるＶ字切り込みの面積が大きくなる故に、ズボンの型崩れを生じやすい。しかしながら、Ｖ字切り込み内において伸縮布には胴回りからＶ字切り込みの頂点方向へ向けて伸びる縫い目を少なくとも２本以上並べて与えたので、同伸縮布のＶ字切り込みの縁部に沿ってサイドシーム方向（上下方向）への伸縮を拘束して、前身頃と後身頃とのサイドシーム方向の段差の発生を抑制してズボンの型崩れを防止でき、ズボンの美観を維持できるのである。
【００１２】
また、上記発明において、股上を短くして腰骨の上方を裸出させて着用されることを特徴としてもよい。かかる発明によれば、いわゆるローライズのズボンにおいて、ベルトレスであっても、その美観を維持しつつ、着用者の腰部周囲に沿って股上を適度に密着させることができる。
【００１３】
また、上記発明において、前記伸縮布は、前記Ｖ字切り込みの裏面より与えられることを特徴としてもよい。かかる発明によれば、同伸縮布の縫い代が露出することがなく、ズボンの美観を維持できるのである。
【００１４】
また、上記発明において、前記伸縮布は、サイドシームと垂直な方向にのみ伸縮することを特徴としてもよい。かかる発明によれば、前身頃と後身頃とのサイドシーム方向の段差の発生をより抑制できて、ズボンの型崩れを防止でき、ズボンの美観を維持できる。
【００１５】
また、上記発明において、前記伸縮布は縦襞を有する装飾布によってその表面を覆われ、前記装飾布は前記各縫い目に沿って、その縦襞の谷部を前記伸縮布に縫い付けられることを特徴としても良い。かかる発明によれば、縦襞を有する装飾布が同伸縮布を覆い、且つ、胴回り近傍が伸長状態のとき前記装飾布の縦襞が表面に向けて隆起するため、ズボンの美観の向上が図れるのである。
【００１６】
また、上記発明において、前記伸縮布には、少なくとも１つ以上の谷部の閉じられた袋状の縦襞を設けたことを特徴としても良い。かかる発明によれば、伸縮布が装飾機能をも有するので、シンプルな構造を保ちつつ、ズボンの美観を維持できるのである。
【図面の簡単な説明】
【００１７】
【図１】本発明によるズボンの斜視図である。
【図２】本発明によるズボンの要部の拡大側面図である。
【図３】本発明によるズボンの要部の拡大斜視図（略裏面視）である。
【図４】本発明によるズボンの要部の拡大斜視図（略表面視）である。
【図５】本発明によるズボンの要部の拡大斜視図（略裏面視）である。
【図６】本発明によるズボンの要部の拡大斜視図（略表面視）である。
【図７】本発明によるズボンの要部の拡大斜視図（略表面視）である。
【図８】本発明によるズボンの要部の拡大斜視図（略裏面視）である。
【発明を実施するための形態】
【実施例】
【００１８】
以下、本発明の実施の形態を、実施例に基づき添付図面を参照して詳しく説明する。
【００１９】
［実施例１］
図１乃至図３を用いて、本発明の第１の実施例であるズボンについて詳細に説明する。
【００２０】
図１及び図２に示すように、ズボン１００は、前身頃１と、後身頃２と、前身頃１と後身頃２の側部を縫合して得られたサイドシーム３と、サイドシーム３に沿って略股下高さ位置、つまり腰回りの最も太いところを一周した線よりも下方の位置からズボン１００の上方端部である胴回り１０に向けて拡がるＶ字切り込み４と、Ｖ字切り込み４を閉塞するようにＶ字切り込み４の縁部１２に沿って縫いつけられたゴムシートやゴム織布などの伸縮素材からなる伸縮布６と、を含む。
【００２１】
前身頃１及び後身頃２は、１０番手以上の縦糸をインディゴによって染色し、横糸を未晒し糸（染色加工をしていない糸）で綾織りにした綿布（デニム生地）からなるが、より細い糸からなる葛城（かつらぎ）であっても良く、更には革であっても良い。
【００２２】
前身頃１は、ファスナー等の開閉具７によって股上部位が開閉自在に形成されると共に、開閉具７の略左右には前ポケット８が設けられている。また、後身頃２の臀部近傍には、その左右に後ポケット９が設けられている。
【００２３】
前身頃１の側部は、その下端から股下高さ近傍までを高さ方向に後身頃２とサイドシーム３において縫合される一方、股下高さ近傍から胴回り１０に亘って斜め前方に傾斜している。また、後身頃２の側部についても、股下高さ近傍から胴回り１０に亘って斜め後方に傾斜している。かかる前身頃１及び後身頃２の側部傾斜により、前身頃１と後身頃２との間にＶ字切り込み４及びその頂点１１が形成される。
【００２４】
図３に示すように、Ｖ字切り込み４には、その縁部１２に沿って、ズボン１００の裏面から伸縮布６が縫い付けられている。伸縮布６には、胴回り１０からＶ字切り込み４の頂点１１の方向へ向けて伸びる複数の縫い目５が、Ｖ字切り込み４の上下方向の長さの約１／３〜２／３に亘って設けられている。なお、図３において、点線は縫合部及び縫い目５を示し、一点鎖線はＶ字切り込み４の縁部１２の一部を隠れ線として示し、他の図においても同様とする。
【００２５】
伸縮布６により、Ｖ字切り込み４の開閉動作において、着用者の身体周りに沿って大きな伸びを要する胴回り１０近傍と比べ、大きな伸びの不要なＶ字切り込み４の頂点１１近傍における伸び量を小さくすることができ、着用者の腰部周囲、とりわけ背面側に対してズボン股上生地を着用者の動きに追随して適度に密着させ得ると共に、Ｖ字切り込み４の頂点１１近傍における生地のだぶつきをも防止でき、ズボン１００の美観を維持できるのである。
【００２６】
また、縫い目５により、伸縮布６のＶ字切り込み４の縁部に沿ったサイドシーム３方向（上下方向）への伸縮を拘束して、前身頃１と後身頃２とのサイドシーム３方向の段差の発生を抑制してズボン１００の型崩れを防止でき、着用者の動きに追随してズボン１００の美観を維持できるのである。特に、伸縮布６は、サイドシーム３と垂直な方向にのみ伸縮する素材であると、前身頃１と後身頃２とのサイドシーム３方向の段差の発生をより抑制できて、ズボン１００の型崩れをより防止でき、ズボン１００の美観を維持できる。
【００２７】
さらに、縫い目５はＶ字切り込み４の縁部１２とともにズボン１００に上下方向の線を与えて、ストライプ模様の衣服と同様の視覚効果を生じさせ、ズボン１００の着用者の腰部周囲を細く見せ得る。さらに、縫い目５の縫い糸の色を伸縮布６の生地と異なる色とし、上下方向の線を強調すると好適である。
【００２８】
なお、ここまでいわゆるローライズのズボン１００について説明してきたが、これに限定されるものではなく、ハイライズのズボンであっても良い。
【００２９】
［実施例２］
図４乃至図６を用いて、本発明の第２の実施例であるズボンの詳細について説明する。
【００３０】
図４に示すように、ズボン２００は、前身頃１と、後身頃２と、前身頃１と後身頃２の側部を縫合して得られたサイドシーム３と、サイドシーム３に沿って略股下高さ位置から胴回り（上方）に向けて拡がるＶ字切り込み４と、Ｖ字切り込み４の縁部１２に沿って縫いつけられた装飾布４１及び伸縮素材からなる伸縮布６と、を含む。
【００３１】
なお、前身頃１及び後身頃２の生地、前身頃１の前方に配設される開閉具７、前ポケット８及び後身頃２に配設される後ポケット９、さらに、Ｖ字切り込み４の形状については、本発明の第１の実施例と同様であるので詳細な説明を省略する。
【００３２】
伸縮布６は、ズボン２００の裏面から縫いつけられ、胴回り１０からＶ字切り込み４の頂点１１に向けてＶ字切り込み４の面積の略５／９〜８／９（Ｖ字切り込み４の上下方向の長さの略１／３〜２／３）を覆っている。
【００３３】
装飾布４１は、伸縮布６とズボン２００の裏面との間に伸縮布６とともに縫いつけられ、Ｖ字切り込み４の全面を覆っている。装飾布４１は複数の縦襞４３を有する。縦襞４３の谷部４４は伸縮布６に胴回り１０から頂点１１に向かって伸びる複数の縫い目４５によって縫いつけられている。縫い目４５は、伸縮布６を上下方向に縦断しており、Ｖ字切り込み４の上下方向の長さの略１／３〜２／３の長さを有する。なお、縫い目４５は伸縮布６に対して、装飾布４１の谷部４４の縫いつけとは別に追加されても良い。
【００３４】
伸縮布６により、着用者の身体周りに沿って大きな伸びを要する胴回り１０近傍と比べ、大きな伸びの不要なＶ字切り込み４の頂点１１近傍における伸び量を小さくすることができ、着用者の腰部周囲、とりわけ背面側に対してズボン股上生地を着用者の動きに追随して適度に密着させ得ると共に、Ｖ字切り込み４の頂点１１近傍における生地のだぶつきをも防止でき、ズボン２００の美観を維持できるのである。
【００３５】
また、Ｖ字切り込み４の頂点１１の方向へ向けて伸びる縫い目４５は少なくとも２本以上設けられているので、伸縮布６のＶ字切り込み４の縁部に沿ったサイドシーム３方向（上下方向）への伸縮を拘束して、前身頃１と後身頃２とのサイドシーム３方向の段差の発生を抑制してズボン２００の型崩れを防止でき、着用者の動きに追随してズボン２００の美観を維持できるのである。
【００３６】
さらに、装飾布４１がＶ字切り込み４の全面を覆い、伸縮布６を隠すので、ズボン２００の美観を維持できるとともに、上述の型崩れを防止できる範囲において伸縮布６の上下方向の幅を変更でき、胴回り１０方向への締め付け強さの設計値の自由度を高める。
【００３７】
また、縦襞４３が縁部１２とともにズボン２００に上下方向の線を与えて、ストライプ模様の衣服と同様の視覚効果を生じさせ、ズボン２００の着用者の腰部周囲を細く見せ得る。
【００３８】
さらに、図６に示すように、ズボン２００が着用され、胴回り１０近傍における伸縮布６が伸長状態にあるとき、装飾布４１の谷部４４は縫い目４５（図５参照）とともに移動するため、表面に向けて縦襞４３が隆起し、上記したストライプ模様と同様の視覚効果を強調し得て、ズボン２００の美観の向上が図れるのである。
【００３９】
［実施例３］
図７及び図８を用いて、本発明の第３の実施例であるズボンの詳細について説明する。
【００４０】
図７に示すように、ズボン３００は、前身頃１と、後身頃２と、前身頃１と後身頃２の側部を縫合して得られたサイドシーム３と、サイドシーム３に沿って略股下高さ位置から胴回り１０（上方）に向けて拡がるＶ字切り込み４と、Ｖ字切り込み４の全面を閉塞するようにＶ字切り込み４の縁部１２に沿って縫いつけられた伸縮素材からなる伸縮布６６と、を含む。
【００４１】
なお、前身頃１及び後身頃２の生地、前身頃１の前方に配設される開閉具７、前ポケット８及び後身頃２に配設される後ポケット９、さらに、Ｖ字切り込み４の形状については、本発明の第１の実施例と同様であるので詳細な説明を省略する。
【００４２】
図８を併せて参照して、Ｖ字切り込み４には、その縁部１２に沿って、ズボン３００の裏面から伸縮布６６が縫い付けられている。伸縮布６６には、複数の縫い目６５と縫い目６５によって谷部６４の閉じられた複数の縦襞６３が設けられている。即ち、縫い目６５は、縦襞６３の両側の谷部６４を縫合して閉じ、縦襞６３を袋状に形成している。ここで、縫い目６５は、伸縮布６６のサイドシーム方向（上下方向）への伸縮を拘束する機能と、縦襞６３を形成する機能とを兼ねるのである。よって、伸縮布６の水平方向への伸縮において、縦襞６３は伸縮せず、各縫い目６５の間のみが水平方向に伸縮する。なお、縫い目６５は、縦襞６３を形成するものとは別に追加されてもよい。
【００４３】
伸縮布６６により、着用者の身体周りに沿って大きな伸びを要する胴回り１０近傍と比べ、大きな伸びの不要なＶ字切り込み４の頂点１１近傍における伸び量を小さくすることができ、着用者の腰部周囲、とりわけ背面側に対してズボン股上生地を着用者の動きに追随して適度に密着させ得ると共に、Ｖ字切り込み４の頂点１１近傍における生地のだぶつきをも防止でき、ズボン３００の美観を維持できるのである。
【００４４】
また、Ｖ字切り込み４の頂点１１の方向へ向けて伸びる縫い目６５が少なくとも２本以上設けられているので、伸縮布６６のＶ字切り込み４の縁部に沿ったサイドシーム方向（上下方向）への伸縮を拘束して、前身頃１と後身頃２とのサイドシーム３方向の段差の発生を抑制してズボン３００の型崩れを防止でき、着用者の動きに追随してズボン３００の美観を維持できるのである。
【００４５】
さらに、伸縮布６６の縦襞４３が縁部１２とともにズボン３００に上下方向の線を与えて、ストライプ模様の衣服と同様の視覚効果を生じさせ、ズボン３００の着用者の腰部周囲を細く見せ得る。
【００４６】
ここまで本発明による代表的な実施例を述べたが、本発明は必ずしもこれに限定されるものではなく、適宜、当業者によって変更され得る。すなわち、当業者であれば、添付した特許請求の範囲を逸脱することなく、種々の代替実施例及び改変例を見出すことができるであろう。
【符号の説明】
【００４７】
１                      前身頃
２                      後身頃
３                      サイドシーム
４                      Ｖ字切り込み
５、４５、６５          縫い目
６、６６                伸縮布
１００、２００、３００  ズボン
【図１】
2010270404.tif 000003
【図２】
2010270404.tif 000004
【図３】
2010270404.tif 000005
【図４】
2010270404.tif 000006
【図５】
2010270404.tif 000007
【図６】
2010270404.tif 000008
【図７】
2010270404.tif 000009
【図８】
2010270404.tif 000010